【手続補正書】
【提出日】平成15年12月26日(2003.12.26)
【手続補正１】
【補正対象書類名】明細書
【補正対象項目名】特許請求の範囲
【補正方法】変更
【補正の内容】
【特許請求の範囲】
【請求項１】
画像を記録媒体上に記録するプリント装置であって、
デジタルカメラとダイレクトに通信する通信手段と、
該通信手段により前記デジタルカメラとの間で通信が確立した後、プリント動作を規定するためにデジタルカメラからプリンタ、もしくはプリンタからデジタルカメラに通知する全てもしくは一部の情報要素を、当該情報要素を記述するスクリプトによって通知し、前記デジタルカメラ及びプリンタはスクリプトとして記述された情報を受信した場合には、当該スクリプト中の解析可能な項目について処理する処理手段とを備え、
前記デジタルカメラが記憶保持する画像を印刷することを特徴とするプリント装置。
【請求項２】
前記情報要素には、前記デジタルカメラとプリンタとが直結可能であることを示す認証情報が含まれることを特徴とする請求項１に記載のプリント装置。
【請求項３】
前記情報要素には、プリンタ装置が有する能力情報が含まれることを特徴とする請求項１に記載のプリント装置。
【請求項４】
画像を記録媒体上に記録するプリント装置であって、
デジタルカメラとダイレクトに通信する通信手段と、
該通信手段により前記デジタルカメラとの間で通信が確立した後、前記デジタルカメラに対して通知する情報をスクリプトで記述して通知し、前記デジタルカメラからスクリプトとして記述された情報を受信した場合には、当該スクリプト中の解析可能な項目について処理する処理手段とを備え、
前記デジタルカメラが記憶保持する画像を印刷することを特徴とするプリント装置。
【請求項５】
前記デジタルカメラとプリンタ装置間における認証処理時に交わされる認証情報がスクリプトによる記述となっていることを特徴とする請求項４に記載のプリント装置。
【請求項６】
前記デジタルカメラと前記プリンタ装置がダイレクトに通信可能となってシステムを構築する状況にある場合、前記デジタルカメラが当該システムのユーザインターフェース装置として機能するために通知する前記プリンタ装置が有する機能を示す情報が、スクリプトによる記述となっていることを特徴とする請求項４又は５に記載のプリント装置。
【請求項７】
前記通信手段は、ＵＳＢインターフェースによって通信する手段であることを特徴とする請求項４乃至６のいずれか１項に記載のプリント装置。
【請求項８】
前記処理手段は、ＵＳＢによるＰＴＰプロトコルのレイヤの上に、前記スクリプトによる通信を行うレイヤを実装することで処理することを特徴とする請求項７に記載のプリント装置。
【請求項９】
デジタルカメラとダイレクトに通信する通信手段を備え、前記デジタルカメラに記憶保持されている画像を印刷するプリント装置の制御方法であって、
該通信手段により前記デジタルカメラとの間で通信が確立した後、前記デジタルカメラに対して通知する情報が複数の情報要素で構成される場合には、当該情報要素を記述したスクリプトにして通知する工程と、
前記デジタルカメラからスクリプトとして記述された情報を受信した場合には、当該スクリプト中の解析可能な項目について処理する処理工程とを備え、
前記デジタルカメラが記憶保持する画像を印刷することを特徴とするプリント装置の制御方法。
【請求項１０】
デジタルカメラと、当該デジタルカメラとダイレクトに通信する通信手段を介して接続するプリント装置で構成されるプリントシステムであって、
前記プリント装置は、
前記通信手段により前記デジタルカメラとの間で通信が確立した後、    前記デジタルカメラに対して通知する情報が複数の情報要素で構成され    る場合には、当該情報要素を記述したスクリプトにして通知し、前記デ    ジタルカメラからスクリプトとして記述された情報を受信した場合には、    当該スクリプト中の解析可能な項目について処理する処理手段とを備え、  前記デジタルカメラは、
前記通信手段でもって前記プリント装置と接続し通信が確立した後、    前記プリンタ装置に対して通知する情報が複数の情報要素で構成される    場合には、当該情報要素を記述したスクリプトにして通知し、前記プリ    ンタ装置からスクリプトとして記述された情報を受信した場合には、当    該スクリプト中の解析可能な項目について処理する手段とを備え、  前記デジタルカメラが記憶保持する画像を印刷することを特徴とするプリントシステム。
【請求項１１】
所定の通信プロトコルを用いてデジタルカメラとダイレクトに通信して、画像を記録媒体上に記録させるプリント制御装置であって、
画像をプリントする為に、前記デジタルカメラが前記プリント制御装置と通信が可能かどうかの認証処理を行う認証手段と、
前記デジタルカメラからプリント制御情報を受信する受信手段と、
前記受信手段により受信された前記プリント制御情報に応じて、前記デジタルカメラから受信した画像をプリントさせるプリント制御手段を有し、
前記認証手段は、前記通信プロトコル上で送受信されるスクリプトファイルを用いて動作し、前記プリント制御情報も、前記通信プロトコル上で送受信されるスクリプトファイルであることを特徴とするプリント制御装置。
【請求項１２】
さらに、前記プリント制御装置の備える機能に関する機能情報を前記デジタルカメラへ送信する送信手段を有し、
前記機能情報は、前記通信プロトコル上で送受信されるスクリプトファイルであることを特徴とする請求項１１に記載のプリント装置。
【請求項１３】
所定の通信プロトコルを用いてデジタルカメラとダイレクトに通信して、画像を記録媒体上に記録させるプリント制御装置の制御方法であって、
画像をプリントする為に、前記デジタルカメラが前記プリント制御装置と通信が可能かどうかの認証処理を行う認証工程と、
前記デジタルカメラからプリント制御情報を受信する受信工程と、
前記受信工程により受信された前記プリント制御情報に応じて、前記デジタルカメラから受信した画像をプリントさせるプリント制御工程を有し、
前記認証工程は、前記通信プロトコル上で送受信されるスクリプトファイルを用いて動作し、前記プリント制御情報も、前記通信プロトコル上で送受信されるスクリプトファイルであることを特徴とするプリント制御装置の制御方法。
【請求項１４】
所定の通信プロトコルを用いてデジタルカメラとダイレクトに通信して、画像を記録媒体上に記録させるプリント制御装置として機能するコンピュータプログラムを格納するコンピュータ可読記憶媒体であって、
画像をプリントする為に、前記デジタルカメラが前記プリント制御装置と通信が可能かどうかの認証処理を行う認証手段と、
前記デジタルカメラからプリント制御情報を受信する受信手段と、
前記受信手段により受信された前記プリント制御情報に応じて、前記デジタルカメラから受信した画像をプリントさせるプリント制御手段として機能し、
前記認証手段は、前記通信プロトコル上で送受信されるスクリプトファイルを用いて動作し、前記プリント制御情報も、前記通信プロトコル上で送受信されるスクリプトファイルである
ことを特徴とするコンピュータプログラムを格納するコンピュータ可読記憶媒体。
【請求項１５】
所定の通信プロトコルを用いてプリント制御装置とダイレクトに通信するデジタルカメラであって、
画像をプリントする為に、前記プリント制御装置が前記デジタルカメラと通信が可能かどうかの認証処理を行う認証手段と、
前記プリント制御装置へプリント制御情報を送信するする送信手段とを有し、
前記認証手段は、前記通信プロトコル上で送受信されるスクリプトファイルを用いて動作し、前記プリント制御情報も、前記通信プロトコル上で送受信されるスクリプトファイルであることを特徴とするデジタルカメラ。
【請求項１６】
さらに、前記プリント制御装置の備える機能に関する機能情報を受信する受信手段を有し、
前記機能情報は、前記通信プロトコル上で送受信されるスクリプトファイルであることを特徴とする請求項１５に記載のデジタルカメラ。
【請求項１７】
さらに、前記受信手段で受信した前記機能情報に応じた前記プリント制御情報を作成する作成手段を有することを特徴とする請求項１５又は１６のいずれか１項に記載のデジタルカメラ。
【請求項１８】
所定の通信プロトコルを用いてプリント制御装置とダイレクトに通信するデジタルカメラの制御方法であって、
画像をプリントする為に、前記プリント制御装置が前記デジタルカメラと通信が可能かどうかの認証処理を行う認証工程と、
前記プリント制御装置へプリント制御情報を送信するする送信工程とを有し、
前記認証工程は、前記通信プロトコル上で送受信されるスクリプトファイルを用いて動作し、前記プリント制御情報も、前記通信プロトコル上で送受信されるスクリプトファイルであることを特徴とするデジタルカメラの制御方法。
【請求項１９】
所定の通信プロトコルを用いてプリント制御装置とダイレクトに通信するデジタルカメラ用のコンピュータプログラムであって、
画像をプリントする為に、前記プリント制御装置が前記デジタルカメラと通信が可能かどうかの認証処理を行う認証手段と、
前記プリント制御装置へプリント制御情報を送信するする送信手段として機能し、
前記認証手段は、前記通信プロトコル上で送受信されるスクリプトファイルを用いて動作し、前記プリント制御情報も、前記通信プロトコル上で送受信されるスクリプトファイルであることを特徴とするコンピュータプログラム。
【請求項２０】
請求項１９に記載のコンピュータプログラムを格納することを特徴とするコンピュータ可読記憶媒体。
【請求項２１】
所定の通信プロトコルを用いてプリント制御装置とダイレクトに通信する画像通信装置であって、
画像をプリントする為に、前記プリント制御装置が前記画像通信装置と通信が可能かどうかの認証処理を行う認証手段と、
前記プリント制御装置へプリント制御情報を送信するする送信手段とを有し、
前記認証手段は、前記通信プロトコル上で送受信されるスクリプトファイルを用いて動作し、前記プリント制御情報も、前記通信プロトコル上で送受信されるスクリプトファイルであることを特徴とする画像通信装置。